(57)【特許請求の範囲】
【請求項１】
主体を含み、前記主体の左側面には固定体が固定的に設置され、前記固定体の中には上方に開口した入り口が設置され、前記主体の中には左方に開口した送り空間が設置され、前記送り空間と前記入り口とが連通しており、前記送り空間の中には右方へ製品を送ることができる第一送り機構が設置され、前記送り空間の右側にはホットプレス空間が連通するように設置され、前記ホットプレス空間の上側には頂部空間が連通するように設置され、前記ホットプレス空間の下側には保存空間が連通するように設置され、前記保存空間と前記ホットプレス空間の中にはいずれも回転輪が設置され、二つの前記回転輪の間にはプラスチック薄膜が取り付けられ、前記プラスチック薄膜が前記ホットプレス空間を貫通しており、前記ホットプレス空間の後側にはスライド空間が連通するように設置され、前記スライド空間の内壁にはスライドブロックが左右にスライドできるように設置され、前記ホットプレス空間の中には補助機構が設置され、前記補助機構は前記スライドブロックの制御によって前記プラスチック薄膜を右方へ広げ、
前記保存空間の内壁には第一加熱ブロックが固定的に設置され、前記第一加熱ブロックの頂面には第一ホットプレスブロックが固定的に設置され、前記ホットプレス空間の中には第二加熱ブロックが設置され、前記第二加熱ブロックの底面には第二ホットプレスブロックが固定的に設置され、前記頂部空間の右側には動力空間が設置され、前記動力空間の中には前記第二ホットプレスブロックの下方への移動を制御できるホットプレス機構が設置され、前記ホットプレス機構が前記第一ホットプレスブロックと接触してホットプレスプラスチック被覆を行い、前記ホットプレス空間の右側には熱収縮空間が連通するように設置され、前記熱収縮空間の下側にはメッシュベルト空間が連通するように設置され、前記メッシュベルト空間と前記ホットプレス空間とが連通しており、前記メッシュベルト空間の中には第二送り機構が設置され、前記第二送り機構はプラスチック被覆された前記製品を右方へ前記熱収縮空間の中に送ることができ、前記熱収縮空間の中には前記製品の外層包装を熱収縮させることができる熱風循環機構が設置されており、
前記第一送り機構は前記送り空間の後壁に回転できるように設置された第一プーリー軸を含み、前記第一プーリー軸の外周には第一傘歯車と第一プーリーが固定的に設置され、前記第一傘歯車が前記第一プーリーの前側に位置しており、前記送り空間の底壁には縦軸が回転できるように設置され、前記縦軸の頂面には第二傘歯車が固定的に設置され、前記第二傘歯車と前記第一傘歯車とが噛み合っており、前記入り口の後壁には第一従動輪が固定的に設置され、前記第一従動輪と前記第一プーリーとの間には送りベルトが取り付けられ、前記送りベルトの外側面には十個の定位ブロックが等間隔に配列され、前記製品が手動で二つの前記定位ブロックの間に置かれることができ、
前記第二送り機構は前記メッシュベルト空間の後壁に回転できるように設置された第二プーリー軸を含み、前記第二プーリー軸の外周には第三傘歯車と第二プーリーが固定的に設置され、前記第三傘歯車が前記第二プーリーの前側に位置しており、前記メッシュベルト空間の底壁には伝動軸が回転できるように設置され、前記伝動軸の頂面には第四傘歯車が固定的に設置され、前記第四傘歯車と前記第三傘歯車とが噛み合っており、前記メッシュベルト空間の後壁には第二従動輪が回転できるように設置され、前記第二従動輪と前記第二プーリーとの間にはメッシュベルトが取り付けられ、前記メッシュベルト空間の下側には下方に開口した屑排出空間が連通するように設置されており、
前記送り空間と前記メッシュベルト空間の下側には歯車空間がいずれも設置され、前記縦軸と前記伝動軸において下方へ延びた部分がいずれも前記歯車空間の中に挿入され、また前記縦軸と前記伝動軸において下方へ延びた部分の底面にはいずれも第五傘歯車が固定的に設置され、二つの前記歯車空間の間の内壁の中には第一モーターが固定的に嵌められ、前記第一モーターの左右両側にはいずれも横軸が伝動できるように連結され、前記横軸がいずれも前記歯車空間の中に挿入され、また二つの前記横軸において互いに離れている側面にはいずれも第六傘歯車が固定的に設置され、前記第六傘歯車がいずれも前記第五傘歯車と噛み合っており、
前記ホットプレス空間の底壁にはガイド板が固定的に設置され、前記ガイド板において左方へ延びた部分が前記送り空間の中に挿入され、かつ前記送りベルトと当接しており、前記ガイド板の中には連通空間が設置されており、
前記保存空間と前記頂部空間の後壁にはいずれも回転軸が回転できるように設置され、前記回転輪がいずれも前記回転軸の外周に固定的に設置され、前記頂部空間の前壁と前記回転輪の前側面の間と、前記保存空間の前壁と前記回転輪の前側面の間とにはいずれも曲がりばねが固定的に取り付けられ、二つの前記プラスチック薄膜の間が固定的に連結されており、
前記補助機構は前記スライド空間の右壁に固定的に設置された第二モーターを含み、前記第二モーターの左側面には第一ねじロッドが伝動できるように連結され、前記第一ねじロッドにおいて左方へ延びた部分が前記スライドブロックの内壁を貫通しており、かつ前記スライド空間の左壁と回転できるように連結され、前記第一ねじロッドと前記スライドブロックとがねじ山により連結され、前記スライドブロックの前側面にはストレートロッドが固定的に設置され、前記ストレートロッドの前側面と前記ホットプレス空間の前壁とがスライドできるように連結され、前記ストレートロッドの外周には対称に設置された二つの第一固定ブロックが固定的に設置され、前記第一固定ブロックの下側面にはいずれも支持ロッドが固定的に設置され、前記支持ロッドの底面にはいずれも第二固定ブロックが固定的に設置され、前記第二固定ブロックの右側面にはいずれも頂柱が固定的に設置されており、
前記ホットプレス機構は前記動力空間の左壁に固定的に設置された第三モーターを含み、前記第三モーターの右側面にはモーター軸が伝動できるように連結され、前記モーター軸の右側面には第七傘歯車が固定的に設置され、前記動力空間の底壁にはねじスリーブが回転できるように設置され、前記ねじスリーブの外周には第八傘歯車が固定的に設置され、前記第八傘歯車と前記第七傘歯車とが噛み合っており、前記第二加熱ブロックの右側面には支持板が固定的に設置され、前記支持板の前後側面と前記ホットプレス空間の前後側壁とがスライドできるように連結され、前記支持板の頂面には第二ねじロッドが固定的に設置され、前記第二ねじロッドにおいて上方へ延びた部分が前記主体の内壁と前記ねじスリーブを貫通しており、かつ前記動力空間の中に挿入され、前記第二ねじロッドと前記ねじスリーブとがねじ山により連結されており、
前記熱風循環機構は前記熱収縮空間の上側内壁の中に固定的に嵌められた通気管を含み、前記通気管の左右両側において下方へ延びた部分がいずれも前記熱収縮空間の中に延びており、前記通気管の中には管空間が設置され、前記通気管の外周には加熱装置が固定的に設置され、前記熱収縮空間の上側にはモーター空間が設置され、前記モーター空間の底壁には第四モーターが固定的に設置され、前記第四モーターの左側面にはファン軸が伝動できるように連結され、前記ファン軸において左方へ延びた部分が前記管空間の中に挿入され、かつ前記ファン軸において左方へ延びた部分の外周には対称に設置された二つの羽根が固定的に設置され、前記熱収縮空間の右側には右方に開口した出口が連通するように設置され、前記出口と前記ホットプレス空間の底壁にはいずれも隔離パッドが固定的に設置されていることを特徴とする熱風循環式ホットプレスプラスチック被覆包装機。
【発明の詳細な説明】
【技術分野】
【０００１】
本発明は包装技術分野を取り上げて、具体的には熱風循環式ホットプレスプラスチック被覆包装機である。
【背景技術】
【０００２】
ホットプレスプラスチック被覆包装は美観で実用な包装方式として、各種の製品に応用されるが、こういう包装方式は一般的に人力で操作し、まず製品の外部にプラスチック袋を被せ、また普通のホットプレスプラスチック被覆装置でプラスチック被覆し、最後にオーブンで加熱し、プラスチック袋を収縮させて製品を包み、こういう方式で包装すると時間と労力がかかり、異なるサイズのプラスチック袋を買う必要もあり、コストが高く、またオーブンで加熱することは遅くて、均一に加熱できないとシワが出やすくなり、包装の流れ全体は多くの設備が必要となり、工芸操作が複雑である。
【先行技術文献】
【特許文献】
【０００３】
【特許文献１】中国特許出願公開第１０７６４０３４０号明細書
【発明の概要】
【発明が解決しようとする課題】
【０００４】
本発明の目的は熱風循環式ホットプレスプラスチック被覆包装機を提供し、それは上記の現在の技術中の問題を解決できる。
【課題を解決するための手段】
【０００５】
主体を含み、前記主体の左側面には固定体が固定的に設置され、前記固定体の中には上方に開口した入り口が設置され、前記主体の中には左方に開口した送り空間が設置され、前記送り空間と前記入り口とが連通しており、前記送り空間の中には右方へ製品を送ることができる第一送り機構が設置され、前記送り空間の右側にはホットプレス空間が連通するように設置され、前記ホットプレス空間の上側には頂部空間が連通するように設置され、前記ホットプレス空間の下側には保存空間が連通するように設置され、前記保存空間と前記ホットプレス空間の中にはいずれも回転輪が設置され、二つの前記回転輪の間にはプラスチック薄膜が取り付けられ、前記プラスチック薄膜が前記ホットプレス空間を貫通しており、前記ホットプレス空間の後側にはスライド空間が連通するように設置され、前記スライド空間の内壁にはスライドブロックが左右にスライドできるように設置され、前記ホットプレス空間の中には補助機構が設置され、前記補助機構は前記スライドブロックの制御によって前記プラスチック薄膜を右方へ広げ、前記保存空間の内壁には第一加熱ブロックが固定的に設置され、前記第一加熱ブロックの頂面には第一ホットプレスブロックが固定的に設置され、前記ホットプレス空間の中には第二加熱ブロックが設置され、前記第二加熱ブロックの底面には第二ホットプレスブロックが固定的に設置され、前記頂部空間の右側には動力空間が設置され、前記動力空間の中には前記第二ホットプレスブロックの下方への移動を制御できるホットプレス機構が設置され、前記ホットプレス機構が前記第一ホットプレスブロックと接触してホットプレスプラスチック被覆を行い、前記ホットプレス空間の右側には熱収縮空間が連通するように設置され、前記熱収縮空間の下側にはメッシュベルト空間が連通するように設置され、前記メッシュベルト空間と前記ホットプレス空間とが連通しており、前記メッシュベルト空間の中には第二送り機構が設置され、前記第二送り機構はプラスチック被覆された前記製品を右方へ前記熱収縮空間の中に送ることができ、前記熱収縮空間の中には前記製品の外層包装を熱収縮させることができる熱風循環機構が設置されている。
【０００６】
さらなる技術プラン、前記第一送り機構は前記送り空間の後壁に回転できるように設置された第一プーリー軸を含み、前記第一プーリー軸の外周には第一傘歯車と第一プーリーが固定的に設置され、前記第一傘歯車が前記第一プーリーの前側に位置しており、前記送り空間の底壁には縦軸が回転できるように設置され、前記縦軸の頂面には第二傘歯車が固定的に設置され、前記第二傘歯車と前記第一傘歯車とが噛み合っており、前記入り口の後壁には第一従動輪が固定的に設置され、前記第一従動輪と前記第一プーリーとの間には送りベルトが取り付けられ、前記送りベルトの外側面には十個の定位ブロックが等間隔に配列され、前記製品が手動で二つの前記定位ブロックの間に置かれることができる。
【０００７】
さらなる技術プラン、前記第二送り機構は前記メッシュベルト空間の後壁に回転できるように設置された第二プーリー軸を含み、前記第二プーリー軸の外周には第三傘歯車と第二プーリーが固定的に設置され、前記第三傘歯車が前記第二プーリーの前側に位置しており、前記メッシュベルト空間の底壁には伝動軸が回転できるように設置され、前記伝動軸の頂面には第四傘歯車が固定的に設置され、前記第四傘歯車と前記第三傘歯車とが噛み合っており、前記メッシュベルト空間の後壁には第二従動輪が回転できるように設置され、前記第二従動輪と前記第二プーリーとの間にはメッシュベルトが取り付けられ、前記メッシュベルト空間の下側には下方に開口した屑排出空間が連通するように設置されている。
【０００８】
さらなる技術プラン、前記送り空間と前記メッシュベルト空間の下側には歯車空間がいずれも設置され、前記縦軸と前記伝動軸において下方へ延びた部分がいずれも前記歯車空間の中に挿入され、また前記縦軸と前記伝動軸において下方へ延びた部分の底面にはいずれも第五傘歯車が固定的に設置され、二つの前記歯車空間の間の内壁の中には第一モーターが固定的に嵌められ、前記第一モーターの左右両側にはいずれも横軸が伝動できるように連結され、前記横軸がいずれも前記歯車空間の中に挿入され、また二つの前記横軸において互いに離れている側面にはいずれも第六傘歯車が固定的に設置され、前記第六傘歯車がいずれも前記第五傘歯車と噛み合っている。
【０００９】
さらなる技術プラン、前記ホットプレス空間の底壁にはガイド板が固定的に設置され、前記ガイド板において左方へ延びた部分が前記送り空間の中に挿入され、かつ前記送りベルトと当接しており、前記ガイド板の中には連通空間が設置されている。
【００１０】
さらなる技術プラン、前記保存空間と前記頂部空間の後壁にはいずれも回転軸が回転できるように設置され、前記回転輪がいずれも前記回転軸の外周に固定的に設置され、前記頂部空間の前壁と前記回転輪の前側面の間と、前記保存空間の前壁と前記回転輪の前側面の間とにはいずれも曲がりばねが固定的に取り付けられ、二つの前記プラスチック薄膜の間が固定的に連結されている。
【００１１】
さらなる技術プラン、前記補助機構は前記スライド空間の右壁に固定的に設置された第二モーターを含み、前記第二モーターの左側面には第一ねじロッドが伝動できるように連結され、前記第一ねじロッドにおいて左方へ延びた部分が前記スライドブロックの内壁を貫通しており、かつ前記スライド空間の左壁と回転できるように連結され、前記第一ねじロッドと前記スライドブロックとがねじ山により連結され、前記スライドブロックの前側面にはストレートロッドが固定的に設置され、前記ストレートロッドの前側面と前記ホットプレス空間の前壁とがスライドできるように連結され、前記ストレートロッドの外周には対称に設置された二つの第一固定ブロックが固定的に設置され、前記第一固定ブロックの下側面にはいずれも支持ロッドが固定的に設置され、前記支持ロッドの底面にはいずれも第二固定ブロックが固定的に設置され、前記第二固定ブロックの右側面にはいずれも頂柱が固定的に設置されている。
【００１２】
さらなる技術プラン、前記ホットプレス機構は前記動力空間の左壁に固定的に設置された第三モーターを含み、前記第三モーターの右側面にはモーター軸が伝動できるように連結され、前記モーター軸の右側面には第七傘歯車が固定的に設置され、前記動力空間の底壁にはねじスリーブが回転できるように設置され、前記ねじスリーブの外周には第八傘歯車が固定的に設置され、前記第八傘歯車と前記第七傘歯車とが噛み合っており、前記第二加熱ブロックの右側面には支持板が固定的に設置され、前記支持板の前後側面と前記ホットプレス空間の前後側壁とがスライドできるように連結され、前記支持板の頂面には第二ねじロッドが固定的に設置され、前記第二ねじロッドにおいて上方へ延びた部分が前記主体の内壁と前記ねじスリーブを貫通しており、かつ前記動力空間の中に挿入され、前記第二ねじロッドと前記ねじスリーブとがねじ山により連結されている。
【００１３】
さらなる技術プラン、前記熱風循環機構は前記熱収縮空間の上側内壁の中に固定的に嵌められた通気管を含み、前記通気管の左右両側において下方へ延びた部分がいずれも前記熱収縮空間の中に延びており、前記通気管の中には管空間が設置され、前記通気管の外周には加熱装置が固定的に設置され、前記熱収縮空間の上側にはモーター空間が設置され、前記モーター空間の底壁には第四モーターが固定的に設置され、前記第四モーターの左側面にはファン軸が伝動できるように連結され、前記ファン軸において左方へ延びた部分が前記管空間の中に挿入され、かつ前記ファン軸において左方へ延びた部分の外周には対称に設置された二つの羽根が固定的に設置され、前記熱収縮空間の右側には右方に開口した出口が連通するように設置され、前記出口と前記ホットプレス空間の底壁にはいずれも隔離パッドが固定的に設置されている。
【発明の効果】
【００１４】
本願発明の有益な効果は：本願発明は二つの送り機構と、ホットプレス機構及び熱風循環機構を利用し、製品プラスチック被覆のプロセス全体の自動化程度を向上させ、人力操作と時間のコストを効果的に削減し、プラスチック被覆された後の熱収縮密封の効果がよりよく、第一送り機構と第二送り機構は同時に右方へ送ることができ、補助機構は右方へプラスチック薄膜を広げ、ホットプレスプラスチック被覆の完全性と利便性を効果的に向上させ、ホットプレス機構は自動的にホットプレスでき、プロセス全体の効率を高め、熱風循環機構は装置内の温度をより快速に高め、温度がより均一になり、包装の密封性と完全性がよりよい。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の内部全体構造概略図
【図２】図２は本願発明の図１のＡ−Ａ方向の拡大概略図
【図３】図３は本願発明の図１のＢ−Ｂ方向の拡大概略図
【図４】図４は本願発明の図１のＣの拡大概略図
【図５】図５は本願発明の図１のＤの拡大概略図
【発明を実施するための形態】
【００１７】
図１〜５を参照し、本願発明の実施例の熱風循環式ホットプレスプラスチック被覆包装機は、主体１２を含み、前記主体１２の左側面には固定体１３が固定的に設置され、前記固定体１３の中には上方に開口した入り口１４が設置され、前記主体１２の中には左方に開口した送り空間１１が設置され、前記送り空間１１と前記入り口１４とが連通しており、前記送り空間１１の中には右方へ製品１５を送ることができる第一送り機構１０１が設置され、前記送り空間１１の右側にはホットプレス空間５２が連通するように設置され、前記ホットプレス空間５２の上側には頂部空間７０が連通するように設置され、前記ホットプレス空間５２の下側には保存空間３１が連通するように設置され、前記保存空間３１と前記ホットプレス空間５２の中にはいずれも回転輪６７が設置され、二つの前記回転輪６７の間にはプラスチック薄膜６６が取り付けられ、前記プラスチック薄膜６６が前記ホットプレス空間５２を貫通しており、前記ホットプレス空間５２の後側にはスライド空間６４が連通するように設置され、前記スライド空間６４の内壁にはスライドブロック５７が左右にスライドできるように設置され、前記ホットプレス空間５２の中には補助機構１０２が設置され、前記補助機構１０２は前記スライドブロック５７の制御によって前記プラスチック薄膜６６を右方へ広げ、前記保存空間３１の内壁には第一加熱ブロック３２が固定的に設置され、前記第一加熱ブロック３２の頂面には第一ホットプレスブロック３３が固定的に設置され、前記ホットプレス空間５２の中には第二加熱ブロック６１が設置され、前記第二加熱ブロック６１の底面には第二ホットプレスブロック６２が固定的に設置され、前記頂部空間７０の右側には動力空間７９が設置され、前記動力空間７９の中には前記第二ホットプレスブロック６２の下方への移動を制御できるホットプレス機構１０５が設置され、前記ホットプレス機構１０５が前記第一ホットプレスブロック３３と接触してホットプレスプラスチック被覆を行い、前記ホットプレス空間５２の右側には熱収縮空間４６が連通するように設置され、前記熱収縮空間４６の下側にはメッシュベルト空間４２が連通するように設置され、前記メッシュベルト空間４２と前記ホットプレス空間５２とが連通しており、前記メッシュベルト空間４２の中には第二送り機構１０３が設置され、前記第二送り機構１０３はプラスチック被覆された前記製品１５を右方へ前記熱収縮空間４６の中に送ることができ、前記熱収縮空間４６の中には前記製品１５の外層包装を熱収縮させることができる熱風循環機構１０４が設置されている。
【００１８】
また、一つの実施例において、前記第一送り機構１０１は前記送り空間１１の後壁に回転できるように設置された第一プーリー軸１８を含み、前記第一プーリー軸１８の外周には第一傘歯車１９と第一プーリー２０が固定的に設置され、前記第一傘歯車１９が前記第一プーリー２０の前側に位置しており、前記送り空間１１の底壁には縦軸２４が回転できるように設置され、前記縦軸２４の頂面には第二傘歯車２３が固定的に設置され、前記第二傘歯車２３と前記第一傘歯車１９とが噛み合っており、前記入り口１４の後壁には第一従動輪１７が固定的に設置され、前記第一従動輪１７と前記第一プーリー２０との間には送りベルト４０が取り付けられ、前記送りベルト４０の外側面には十個の定位ブロック１６が等間隔に配列され、前記製品１５が手動で二つの前記定位ブロック１６の間に置かれることができ、前記縦軸２４の回転により、前記第一プーリー軸１８が回転し、これにより前記送りベルト４０を伝動させ、これにより前記製品１５を右方へ送り、前記定位ブロック１６を通じて前記製品１５の位置を固定できる。
【００１９】
また、一つの実施例において、前記第二送り機構１０３は前記メッシュベルト空間４２の後壁に回転できるように設置された第二プーリー軸３６を含み、前記第二プーリー軸３６の外周には第三傘歯車３７と第二プーリー３８が固定的に設置され、前記第三傘歯車３７が前記第二プーリー３８の前側に位置しており、前記メッシュベルト空間４２の底壁には伝動軸３４が回転できるように設置され、前記伝動軸３４の頂面には第四傘歯車３５が固定的に設置され、前記第四傘歯車３５と前記第三傘歯車３７とが噛み合っており、前記メッシュベルト空間４２の後壁には第二従動輪４３が回転できるように設置され、前記第二従動輪４３と前記第二プーリー３８との間にはメッシュベルト４１が取り付けられ、前記メッシュベルト空間４２の下側には下方に開口した屑排出空間３９が連通するように設置され、前記伝動軸３４の回転により、前記第二プーリー軸３６が回転し、これにより前記メッシュベルト４１を伝動させ、これにより前記メッシュベルト４１に前記製品１５を右方へ送らせ、前記屑排出空間３９を通じてホットプレスプラスチック被覆された後の廃物を装置外に排出できる。
【００２０】
また、一つの実施例において、前記送り空間１１と前記メッシュベルト空間４２の下側には歯車空間２６がいずれも設置され、前記縦軸２４と前記伝動軸３４において下方へ延びた部分がいずれも前記歯車空間２６の中に挿入され、また前記縦軸２４と前記伝動軸３４において下方へ延びた部分の底面にはいずれも第五傘歯車２５が固定的に設置され、二つの前記歯車空間２６の間の内壁の中には第一モーター２９が固定的に嵌められ、前記第一モーター２９の左右両側にはいずれも横軸３０が伝動できるように連結され、前記横軸３０がいずれも前記歯車空間２６の中に挿入され、また二つの前記横軸３０において互いに離れている側面にはいずれも第六傘歯車２７が固定的に設置され、前記第六傘歯車２７がいずれも前記第五傘歯車２５と噛み合っており、前記第一モーター２９の作動により、前記横軸３０を回転させ、これにより前記縦軸２４と前記伝動軸３４を回転させることができる。
【００２１】
また、一つの実施例において、前記ホットプレス空間５２の底壁にはガイド板２２が固定的に設置され、前記ガイド板２２において左方へ延びた部分が前記送り空間１１の中に挿入され、かつ前記送りベルト４０と当接しており、前記ガイド板２２の中には連通空間２１が設置され、前記ガイド板２２を通じて前記製品１５を前記ホットプレス空間５２の中に案内でき、前記定位ブロック１６が回転するとき前記ガイド板２２によって正常に作動できる。
【００２２】
また、一つの実施例において、前記保存空間３１と前記頂部空間７０の後壁にはいずれも回転軸６９が回転できるように設置され、前記回転輪６７がいずれも前記回転軸６９の外周に固定的に設置され、前記頂部空間７０の前壁と前記回転輪６７の前側面の間と、前記保存空間３１の前壁と前記回転輪６７の前側面の間とにはいずれも曲がりばね６８が固定的に取り付けられ、二つの前記プラスチック薄膜６６の間が固定的に連結され、前記曲がりばね６８の弾性によって前記回転軸６９を回転させることができ、これにより前記ホットプレス空間５２の中に位置した前記プラスチック薄膜６６をいつでも引っ張った状態にさせることができる。
【００２３】
また、一つの実施例において、前記補助機構１０２は前記スライド空間６４の右壁に固定的に設置された第二モーター７１を含み、前記第二モーター７１の左側面には第一ねじロッド６５が伝動できるように連結され、前記第一ねじロッド６５において左方へ延びた部分が前記スライドブロック５７の内壁を貫通しており、かつ前記スライド空間６４の左壁と回転できるように連結され、前記第一ねじロッド６５と前記スライドブロック５７とがねじ山により連結され、前記スライドブロック５７の前側面にはストレートロッド５８が固定的に設置され、前記ストレートロッド５８の前側面と前記ホットプレス空間５２の前壁とがスライドできるように連結され、前記ストレートロッド５８の外周には対称に設置された二つの第一固定ブロック６０が固定的に設置され、前記第一固定ブロック６０の下側面にはいずれも支持ロッド５４が固定的に設置され、前記支持ロッド５４の底面にはいずれも第二固定ブロック５３が固定的に設置され、前記第二固定ブロック５３の右側面にはいずれも頂柱５５が固定的に設置され、前記第二モーター７１の作動により、前記スライドブロック５７を左右にスライドさせ、前記スライドブロック５７が右方へ移動するとき、前記ストレートロッド５８に二つの前記第一固定ブロック６０を連動させて右方へ移動させ、これにより前記支持ロッド５４が前記第二固定ブロック５３を右方へ移動させ、これにより前記頂柱５５が右方へ移動して前記プラスチック薄膜６６を右方へ広げ、これにより前記製品１５を便利にプラスチック被覆する。
【００２４】
また、一つの実施例において、前記ホットプレス機構１０５は前記動力空間７９の左壁に固定的に設置された第三モーター７６を含み、前記第三モーター７６の右側面にはモーター軸７５が伝動できるように連結され、前記モーター軸７５の右側面には第七傘歯車７４が固定的に設置され、前記動力空間７９の底壁にはねじスリーブ７２が回転できるように設置され、前記ねじスリーブ７２の外周には第八傘歯車７３が固定的に設置され、前記第八傘歯車７３と前記第七傘歯車７４とが噛み合っており、前記第二加熱ブロック６１の右側面には支持板６３が固定的に設置され、前記支持板６３の前後側面と前記ホットプレス空間５２の前後側壁とがスライドできるように連結され、前記支持板６３の頂面には第二ねじロッド５９が固定的に設置され、前記第二ねじロッド５９において上方へ延びた部分が前記主体１２の内壁と前記ねじスリーブ７２を貫通しており、かつ前記動力空間７９の中に挿入され、前記第二ねじロッド５９と前記ねじスリーブ７２とがねじ山により連結され、前記第三モーター７６の作動により、前記モーター軸７５が前記ねじスリーブ７２を回転させ、これにより前記第二ねじロッド５９が前記支持板６３を上下に移動させ、これにより前記第二加熱ブロック６１が前記第二ホットプレスブロック６２を上下に移動させ、前記第二ホットプレスブロック６２が下方へ移動して前記第一ホットプレスブロック３３と接触するとき、前記製品１５の外周に位置した前記プラスチック薄膜６６をホットプレスプラスチック被覆できる。
【００２５】
また、一つの実施例において、前記熱風循環機構１０４は前記熱収縮空間４６の上側内壁の中に固定的に嵌められた通気管４９を含み、前記通気管４９の左右両側において下方へ延びた部分がいずれも前記熱収縮空間４６の中に延びており、前記通気管４９の中には管空間５０が設置され、前記通気管４９の外周には加熱装置５１が固定的に設置され、前記熱収縮空間４６の上側にはモーター空間４８が設置され、前記モーター空間４８の底壁には第四モーター４７が固定的に設置され、前記第四モーター４７の左側面にはファン軸７７が伝動できるように連結され、前記ファン軸７７において左方へ延びた部分が前記管空間５０の中に挿入され、かつ前記ファン軸７７において左方へ延びた部分の外周には対称に設置された二つの羽根７８が固定的に設置され、前記熱収縮空間４６の右側には右方に開口した出口４４が連通するように設置され、前記出口４４と前記ホットプレス空間５２の底壁にはいずれも隔離パッド４５が固定的に設置され、前記加熱装置５１により前記管空間５０内の空気を加熱でき、前記第四モーター４７の作動により前記ファン軸７７が前記羽根７８を回転させ、これにより前記熱収縮空間４６内の空気が前記管空間５０の中に吸われて加熱され、同時に前記管空間５０内の熱い空気を前記熱収縮空間４６の中に排出し、熱風循環の効果を果たし、前記隔離パッド４５により前記熱収縮空間４６内の熱い空気漏れを減少できる。
【００２６】
使用するとき、第一モーター２９の作動により、横軸３０を回転させ、これにより縦軸２４と伝動軸３４を回転させることができ、縦軸２４の回転により、第一プーリー軸１８が回転し、これにより送りベルト４０を伝動させ、これにより製品１５を右方へ送り、定位ブロック１６を通じて製品１５の位置を固定でき、伝動軸３４の回転により、第二プーリー軸３６が回転し、これによりメッシュベルト４１を伝動させ、これによりメッシュベルト４１に製品１５を右方へ送らせ、屑排出空間３９を通じてホットプレスプラスチック被覆された後の廃物を装置外に排出でき、ガイド板２２を通じて製品１５をホットプレス空間５２の中に案内でき、定位ブロック１６が回転するときガイド板２２によって正常に作動でき、曲がりばね６８の弾性によって回転軸６９を回転させることができ、これによりホットプレス空間５２の中に位置したプラスチック薄膜６６をいつでも引っ張った状態にさせることができ、第二モーター７１の作動により、スライドブロック５７を左右にスライドさせ、スライドブロック５７が右方へ移動するとき、ストレートロッド５８に二つの第一固定ブロック６０を連動させて右方へ移動させ、これにより支持ロッド５４が第二固定ブロック５３を右方へ移動させ、これにより頂柱５５が右方へ移動してプラスチック薄膜６６を右方へ広げ、これにより製品１５を便利にプラスチック被覆し、第三モーター７６の作動により、モーター軸７５がねじスリーブ７２を回転させ、これにより第二ねじロッド５９が支持板６３を上下に移動させ、これにより第二加熱ブロック６１が第二ホットプレスブロック６２を上下に移動させ、第二ホットプレスブロック６２が下方へ移動して第一ホットプレスブロック３３と接触するとき、製品１５の外周に位置したプラスチック薄膜６６をホットプレスプラスチック被覆でき、加熱装置５１により管空間５０内の空気を加熱でき、第四モーター４７の作動によりファン軸７７が羽根７８を回転させ、これにより熱収縮空間４６内の空気が管空間５０の中に吸われて加熱され、同時に管空間５０内の熱い空気を熱収縮空間４６の中に排出し、熱風循環の効果を果たし、これによって製品１５にホットプレスプラスチック被覆されたプラスチック薄膜６６を熱収縮させることができ、隔離パッド４５により熱収縮空間４６内の熱い空気漏れを減少できる。
【００２７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】      （修正有）【課題】本発明は熱風循環式ホットプレスプラスチック被覆包装機を提供する。【解決手段】主体１２を含み、前記主体の左側面には固定体が固定的に設置され、前記固定体の中には上方に開口した入り口１４が設置され、前記主体の中には左方に開口した送り空間１１が設置され、前記送り空間と前記入り口とが連通しており、前記送り空間の中には右方へ製品を送ることができる第一送り機構が設置され、前記送り空間の右側にはホットプレス空間が連通するように設置され、前記ホットプレス空間の上側には頂部空間が連通するように設置され、前記ホットプレス空間の下側には保存空間３１が連通するように設置され、前記保存空間と前記ホットプレス空間の中にはいずれも回転輪が設置されている。【選択図】図１【図１】
0006811365.tif 000002
【図２】
0006811365.tif 000003
【図３】
0006811365.tif 000004
【図４】
0006811365.tif 000005
【図５】
0006811365.tif 000006